(57)【要約】【課題】表示手段として発光ダイオードを用いるとともに発光ダイオードの端子を屈曲させて所望の方向を向けることによって、使用寿命が長く、低電力で高輝度の発光を得ることができ、はっきりとした点滅表示が可能で、且つ取付位置の自由度が大きい表示手段を有するテレビレンズ装置を提供する。【解決手段】タリーランプ３０は、鏡筒２６に固定された電子回路基板３２と、この電子回路基板３２に実装された五つの発光ダイオード３４、３４…を備え、各発光ダイオード３４は、透明樹脂ケース３６と二本の端子３８、３８で構成される。発光ダイオード３４は端子３８、３８を屈曲させることによって、透明樹脂ケース３６の先端が所望の方向（すなわちタリーランプ窓２０、２２）に向けられる。【選択図】      図４
2005352281.tif 000002
【特許請求の範囲】
【請求項１】
テレビレンズ装置のケーシングに形成された開口が透光性のカバー部材で閉塞され、該カバー部材の内側に表示手段が設けられ、前記カバー部材を介して観察される前記表示手段の点灯状態によって、前記テレビレンズ装置が接続されたテレビカメラの動作状態が表示されるテレビレンズ装置において、
前記表示手段は、複数の発光ダイオードによって構成され、該発光ダイオードは、発光部と、該発光部に取り付けられて基板に接続される複数本の端子で構成され、該端子が所望の方向に折曲されて前記発光部が所望の方向に向けられていることを特徴とするテレビレンズ装置。
【請求項２】
前記発光ダイオードは、角筒状の前記ケーシングと該ケーシングに収納された円筒状のレンズ鏡胴との間に形成される隅部隙間に配置されていることを特徴とする請求項１記載のテレビレンズ装置。
【請求項３】
前記表示手段は、前記ケーシングに収納されるレンズ鏡胴の外周面に形成された凹部に収納配置されていることを特徴とする請求項１又は２記載のテレビレンズ装置。
【請求項４】
前記動作状態が表示される表示部が前記テレビレンズ装置の左右に配置される際に、前記発光ダイオードが接続される基板は、前記発光ダイオードの端子の折曲方向を変えることで左右ともに共通であることを特徴とする請求項１〜３のいずれか１記載のテレビレンズ装置。
【発明の詳細な説明】
【技術分野】
【０００１】
本発明はテレビレンズ装置に係り、特にテレビレンズ装置が接続されたテレビカメラの動作状態に応じて点灯するタリーランプが設けられたテレビレンズ装置に関する。
【背景技術】
【０００２】
スタジオ内のテレビ撮影や屋外のスポーツ中継等においては、ＥＦＰレンズ装置と称される箱型のテレビレンズ装置が広く用いられている。この種のテレビレンズ装置は、レンズ鏡胴が金属製のケーシングに収納されて構成されるとともに、レンズ鏡胴にフォーカスレンズ及びズームレンズが収納され、レンズ鏡胴の周囲に前記レンズ等を電気的に駆動する駆動装置、及びその他各種の検出系を含む制御回路基板等が取り付けられている。
【０００３】
また、テレビレンズ装置のケーシングの側面には、このテレビレンズ装置が接続されたテレビカメラが撮影動作（ＯＮ  ＡＩＲ）中であることを知らせるタリーランプが設けられている（特許文献１）。タリーランプは、ケーシングの所定の位置に形成された開口部を介してケーシング内に取り付けられ、また、この開口部はプラスチック製の赤色透明板によって閉塞されている。したがって、タリーランプが点灯されると、赤色透明板が照明されて赤色発光するので、このテレビレンズ装置が接続されたテレビカメラが撮影動作中であることを、カメラマン、キャスター等の被撮影者、及び撮影に従事するスタッフ等に知らせることができる。
【特許文献１】特開平９−１７９００６号公報
【発明の開示】
【発明が解決しようとする課題】
【０００４】
しかしながら、従来のテレビレンズ装置は、タリーランプが白熱電球であるため、使用寿命が短く、また低電力では満足な輝度を得ることができず、更には点滅表示させた時の反応が悪く点滅表示なのか点灯表示なのか分かり難いという問題があった。また、白熱電球は余計な熱が発生するため、取付位置によってはその熱がレンズ鏡胴に伝わりレンズ鏡胴が熱膨張し、ピントのずれを発生させる原因にもなるので、取付位置の自由度が小さいという欠点もあった。
【０００５】
本発明はこのような事情に鑑みてなされたもので、従来の表示手段が有する上記欠点を解消することにより、使用寿命が長く、低電力で高輝度の発光を得ることができ、はっきりとした点滅表示が可能で、且つ取付位置の自由度が大きい表示手段を有するテレビレンズ装置を提供することを目的とする。
【課題を解決するための手段】
【０００６】
本発明は、前記目的を達成するために、テレビレンズ装置のケーシングに形成された開口が透光性のカバー部材で閉塞され、該カバー部材の内側に表示手段が設けられ、前記カバー部材を介して観察される前記表示手段の点灯状態によって、前記テレビレンズ装置が接続されたテレビカメラの動作状態が表示されるテレビレンズ装置において、前記表示手段は、複数の発光ダイオードによって構成され、該発光ダイオードは、発光部と、該発光部に取り付けられて基板に接続される複数本の端子で構成され、該端子が所望の方向に折曲されて前記発光部が所望の方向に向けられていることを特徴とする。
【０００７】
請求項１に記載の発明によれば、白熱電球と比較して長寿命であり、低電力で高輝度の発光を得ることができ、はっきりとした点滅表示が可能な発光ダイオードを表示手段として適用したことを特徴としている。発光ダイオードは、発光部と、発光部に取り付けられた複数本の端子とから構成され、発光部はその性質上指向性があるため、折曲可能な端子の性質を利用し、端子を所望の方向に折曲させることにより発光部を所望の方向に向けている。また、発光ダイオードは、白熱電球と比較して余計な熱が発生しないので、レンズ鏡胴の熱膨張に関し配慮する必要がなく、よって、テレビレンズ装置に対する取付位置の自由度が大きくなる。
【０００８】
請求項２に記載の発明は、請求項１に記載の発明において、前記発光ダイオードは、角筒状の前記ケーシングと該ケーシングに収納された円筒状のレンズ鏡胴との間に形成される隅部隙間に配置されていることを特徴としている。ケーシングとレンズ鏡胴との形状の関係によりデッドスペースとして存在する前記隅部隙間に発光ダイオードを配置することによって、発光ダイオードの取付スペースを別個に設ける必要がないので、テレビレンズ装置の大型化を防止できる。
【０００９】
請求項３に記載の発明は、請求項１又は２に記載の発明において、前記表示手段は、前記ケーシングに収納されるレンズ鏡胴の外周面に形成された凹部に収納配置されていることを特徴としている。発光ダイオードを前記凹部に収納配置することにより、ケーシングをレンズ鏡胴の光軸に沿ってレンズ鏡胴から取り外す際に、ケーシングが発光ダイオードに衝突しケーシングの取り外しの妨げとなることを防止できる。
【００１０】
請求項４に記載の発明は、請求項１〜３のいずれか１に記載の発明において、前記動作状態が表示される表示部が前記テレビレンズ装置の左右に配置される際に、前記発光ダイオードが接続される基板は、前記発光ダイオードの端子の折曲方向を変えることで左右ともに共通であることを特徴としている。
【発明の効果】
【００１１】
本発明に係るテレビレンズ装置によれば、白熱電球に代えて発光ダイオードを使用したので、使用寿命が長く、低電力で高輝度の発光を得ることができ、はっきりとした点滅表示が可能となり、また、発光ダイオードは白熱電球と比較して余計な熱が発生しないので、レンズ鏡胴の熱膨張に関し配慮する必要がなく、よって、テレビレンズ装置に対する取付位置の自由度が大きくなる。更に、本発明の発光ダイオードは、折曲可能な端子の性質を利用し、端子を所望の方向に折曲させたので、指向性のある発光部を所望の方向に容易に向けることができる。
【発明を実施するための最良の形態】
【００１２】
以下、添付図面に従って本発明に係るテレビレンズ装置の好ましい実施の形態について説明する。
【００１３】
図１は、本発明に係るテレビレンズ装置が適用されたＥＦＰレンズ装置１０の全体構成を示した斜視図であり、図２は図１のＥＦＰレンズ装置１０の正面図を示している。
【００１４】
ＥＦＰレンズ装置１０は主として、レンズ本体１２と、このレンズ本体１２を包囲するレンズカバー（ケーシングに相当）１４で構成されている。レンズカバー１４は角筒状のフロントカバー１６と、同じく角筒状の本体カバー１８によって構成され、本体カバー１８の前端面にフロントカバー１６の後端面を組み付けることによって構成される。
【００１５】
本体カバー１８の前端面には、レンズ本体１２が挿通される円状の開口１８Ａが形成されている。また、本体カバー１８の前端面の左上隅部及び右上隅部にはそれぞれ、タリーランプ窓２０が設けられている。このタリーランプ窓２０は、本体カバー１８の前端面に形成された開口を、アクリル樹脂等から成る赤色透明板（カバー部材に相当）で閉塞することによって構成される。
【００１６】
本体カバー１８の側面にもタリーランプ窓２２が設けられている。このタリーランプ窓２２はタリーランプ窓２０と同様に構成されており、本体カバー１８の側面に形成された開口を、赤色透光板によって閉塞することによって構成される。タリーランプ窓２２は、前記タリーランプ窓２０と略同じ高さ位置に形成されている。
【００１７】
なお、タリーランプ窓２０、２２は一体的に形成してもよい。すなわち、本体カバー１８の側面から前端面に繋がる開口を形成し、この開口をＬ字状の赤色透明板で閉塞するようにしてもよい。
【００１８】
一方、レンズ本体１２は、図３に示すようにレンズ２４が収納されている鏡筒２６と、この鏡筒２６の後端が組み付けられるマウントフレーム２８とを備える。鏡胴２６は金属材料で製作され、円筒状に形成されている。鏡胴２６内には、図示しないフォーカスレンズ群、及びズームレンズが光軸に沿って移動可能に収納され、このフォーカスレンズ群、及びズームレンズが駆動されることによってフォーカス操作、ズーム操作が行われる。また、鏡胴２６内には、図示しないアイリスが配設されており、このアイリスを駆動することによって絞り値が変更される。さらに、鏡胴２６には、図示しないエクステンダーレンズが回動自在に組付けられており、エクステンダーが回動駆動されることによって、光軸内に進入又は光軸から退避されるようになっている。
【００１９】
鏡筒２６の外周面には、タリーランプ３０、３０が取り付けられている。タリーランプ３０、３０は、レンズ本体１２をレンズカバー１４内に装着した際に、図２に示す如く円筒状の鏡筒２６と角筒状の本体カバー１８との間に形成される隅部隙間に配置されている。
【００２０】
図４に示すように、タリーランプ３０は主として、鏡筒２６の外周面に取り付けられる電子回路基板３２と、この電子回路基板３２上に実装された五個の発光ダイオード３４、３４…によって構成される。各発光ダイオード３４は、砲弾形状（すなわち先端の尖った円柱形状）の透明樹脂ケース３６と、この透明樹脂ケース３６から引き出された二本の端子３８、３８を備えており、透明樹脂ケース３６の内部には、二本の端子３８、３８が電気的に接続される不図示のＬＥＤチップ（発光部に相当）が設けられる。二本の端子３８、３８は、銅線等の金属で製造されており、この二本の端子３８、３８に外部から通電することによって透明樹脂ケース３６内のＬＥＤチップが発光し、透明樹脂ケース３６の先端から前方に光が照射される。
【００２１】
発光ダイオード３４は、電子回路基板３２に形成された貫通孔３２Ａ、３２Ａ…に端子３８、３８の先端部分を貫通させた後、半田等によって端子３８、３８を電子回路基板３２に固定することによって装着される。その際、透明樹脂ケース３６は、端子３８、３８によって中空状に支持される。
【００２２】
五つの発光ダイオード３４、３４のうち、前側に配置される一つの発光ダイオード（以下、前方照射用の発光ダイオード３４という）は、二つの端子３８、３８が縦方向に並んで配置された状態で電子回路基板３２に装着されている。すなわち、電子回路基板３２の貫通孔３２Ａ、３２Ａは縦方向に並んで形成されており、この貫通孔３２Ａ、３２Ａに端子３８、３８の先端が挿入されて固定される。したがって、前方照射用の発光ダイオード３４は、二つの端子３８、３８を水平方向に同時に屈曲させることができ、図４に示すように透明樹脂ケース３６の先端を前方に向けることができる。これにより、前方照射用の発光ダイオード３４は、レンズ本体１２をレンズカバー１４内に装着した際、透明樹脂ケース３６の先端が、前方のタリーランプ窓２０を向くようにして配置される。
【００２３】
前方照射用の発光ダイオード３４を除く残りの四つの発光ダイオード（以下、側方照射用の発光ダイオードという）３４、３４…は、二つの端子３８、３８が横方向に並ぶようにして電子回路基板３２に装着されている。すなわち、電子回路基板３２の貫通孔３２Ａ、３２Ａ…は、縦方向に並んで形成されており、この貫通孔３２Ａ、３２Ａ…に端子３８、３８の先端が挿入されて固定される。したがって、側方照射用の発光ダイオード３４は、図４に示すように、二つの端子３８、３８を上下方向に同時に屈曲させることができ、透明樹脂ケース３６の先端を下方に向けることができる。これにより、側方照射用の発光ダイオード３４、３４…は、レンズ本体１２をレンズカバー１４内に装着した際、透明樹脂ケース３６の先端が、側方のタリーランプ窓２２を向くようにして配置される。
【００２４】
次に上記の如く構成されたＥＦＰレンズ装置１０の作用について説明する。
【００２５】
タリーランプ３０として電灯を用いた場合は、電灯の寿命が短い、低電圧では暗い、レスポンスが悪い、熱を発生するなどの欠点があるのに対し、発光ダイオード３４を用いた場合は、寿命が長い、低電圧でも十分な輝度が得られる、レスポンスが良い、熱を発生しない等の効果が得られる。したがって、発光ダイオード３４を用いた本実施の形態のＥＦＰレンズ装置１０は、寿命が長いので交換の頻度が少なく、また、低電圧でも十分な輝度が得られるとともにレスポンスがいいので、タリーランプ３０の点灯状態から、テレビカメラの動作状態を確実に把握することができる。さらに、発光ダイオード３４は熱を発生しないので、レンズ鏡筒２６等の周辺機器の熱変形を防止することができる。
【００２６】
また、本実施の形態のＥＦＰレンズ装置１０は、発光ダイオード３４の端子３８、３８を屈曲させることによって透明樹脂ケース３６の先端がタリーランプ窓２０、２２を向くようにしたので、指向性のある発光ダイオード３４によって確実にタリーランプ窓２０、２２を照射することができる。
【００２７】
また、本実施の形態では、タリーランプ窓２０、２２の位置によって制限されることなく、タリーランプ３０を配置することができる。すなわち、発光ダイオード３４の端子３８、３８を屈曲させて発光ダイオード３４の照射方向を変えているので、タリーランプ窓２０、２２のすぐ内側にタリーランプ３０を配置する必要がなく、また、タリーランプ窓２０、２２と平行にタリーランプ３０の電子回路基板３６を配置する必要もない。よって、タリーランプ３０の配置の自由度が高くなり、円筒状の鏡筒２６と角筒状の本体カバー２８との形状の関係によってデッドスペースとして存在する隅部隙間に、電子回路基板３２が斜めになるように配置することができる。これにより、ＥＦＰレンズ装置１０を小型化することができる。
【００２８】
また、本実施の形態では、一つの電子回路基板３２に複数の発光ダイオード３４、３４…を装着するとともに、この発光ダイオード３４、３４…によって前方と側方の異なる二方向を照射するようにしたので、一つのユニットとして一体的に形成されたタリーランプ３０によって、二つのタリーランプ窓２０、２２を照射することができる。したがって、部品点数を減らすことができ、ＥＦＰレンズ装置１０の小型化、及びコストの削減を行うことができる。
【００２９】
さらに、本実施の形態において、右上隅部のタリーランプ３０と、左上隅部のタリーランプ３０とでは、側方照射用の発光ダイオード３４の端子３８、３８の屈曲方向を変えるだけでよい。したがって、右上隅部のタリーランプ３０と左上隅部のタリーランプ３０との電子回路基板を共通の構成部品として使用することができる。
【００３０】
図５は第２の実施形態におけるレンズ本体を示す斜視図である。図６は図５のレンズ本体をレンズカバーに装着したＥＦＰレンズ装置の正面図であり、図７はその縦断面図である。
【００３１】
図５に示すように、レンズ本体１２の鏡筒２６の外周面には凹部４０が形成されている。凹部４０は、鏡筒２６の右上隅部と左上隅部に形成されており、この凹部４０にタリーランプ３０の電子回路基板３２が嵌め込まれて固定される。タリーランプ３０の各発光ダイオード３４は、端子３８、３８が屈曲され、透明樹脂ケース３６の先端がタリーランプ窓２０又は２２に向けられる。すなわち、前方照射用の発光ダイオード３４は、その照射光が、本体カバー１８と鏡筒２６との隙間を介してタリーランプ窓２０を照射するように、前方に向けられる。また、側方照射用の発光ダイオード３４は、側方のタリーランプ窓２２の方向に向けられる。
【００３２】
上記の如く構成された第２の実施形態は、鏡筒２６の凹部４０にタリーランプ３０が収納されるので、装置をより小型化することができる。
【００３３】
また、第２の実施形態によれば、タリーランプ３０を鏡筒２６の凹部４０に収納するので、レンズカバー１４を光軸に沿ってレンズ本体１２から取り外す際に、レンズカバー１４が発光ダイオード３４に衝突し、レンズカバー１４の取り外しの妨げになることを防止できる。
【００３４】
なお、上述した実施の形態は、一つの電子回路基板３２に五つの発光ダイオード３４、３４…を設けたが、発光ダイオード３４の数はこれに限定されるものではなく、タリーランプ窓２０、２２の数以上の発光ダイオード３４を設け、各タリーランプ窓２０、２２が照射されるように、発光ダイオード３４の端子３８、３８を屈曲させればよい。
【図面の簡単な説明】
【００３５】
【図１】本発明に係るテレビレンズ装置が適用されたＥＦＰレンズ装置の全体構成を示す斜視図
【図２】図１のＥＦＰレンズ装置の正面図
【図３】図１のレンズ本体を示す斜視図
【図４】タリーランプを示す斜視図
【図５】第２の実施形態のテレビレンズ装置が適用されたレンズ本体を示す斜視図
【図６】図５のレンズ本体を用いたＥＦＰレンズ装置の正面図
【図７】図５のレンズ本体を用いたＥＦＰレンズ装置の縦断面図
【符号の説明】
【００３６】
１０…ＥＦＰレンズ装置、１２…レンズ本体、１４…レンズカバー、１６…フロントカバー、１８…本体カバー、２０、２２…タリーランプ窓、２６…鏡筒、３０…タリーランプ、３２…電子回路基板、３４…発光ダイオード、３６…透明樹脂ケース、３８…端子、４０…凹部
【図１】
2005352281.tif 000003
【図２】
2005352281.tif 000004
【図３】
2005352281.tif 000005
【図４】
2005352281.tif 000006
【図５】
2005352281.tif 000007
【図６】
2005352281.tif 000008
【図７】
2005352281.tif 000009